(57)【要約】【課題】  狭い目地部に設置することができ、通常時は隙間なく目地部を塞ぐことができるとともに、かつ躯体が地震によって左右の躯体が揺れ動き、目地部が狭くなった場合であっても確実に地震による揺れ動きを吸収できる目地装置を提供すること。【解決手段】  左右の躯体間の目地部を塞ぐ目地装置であって、前記左右の躯体にそれぞれ連結部材を介して設けられた伸縮リンク機構と、この伸縮リンク機構の枢支部に設けられた複数個の目地プレート取付具と、該目地プレート取付具にそれぞれ取り付けられた複数個の目地プレートとで構成され、前記目地プレートは、その取付基端部よりも外方向に形成されたガイド部を有するとともに、このガイド部に連続するカバー部を有し、該カバー部の突出端部は、隣り合う目地プレートのカバー部の後端部付近に位置するように重なり合うことを特徴とする。【選択図】  図１
2019123998.tif 000002
【特許請求の範囲】
【請求項１】
左右の躯体間の目地部を塞ぐ目地装置であって、前記左右の躯体にそれぞれ連結部材を介して設けられた伸縮リンク機構と、この伸縮リンク機構の枢支部に設けられた複数個の目地プレート取付具と、該目地プレート取付具にそれぞれ取り付けられた複数個の目地プレートとで構成され、
前記目地プレートは、その取付基端部よりも外方向に形成されたガイド部を有するとともに、このガイド部に連続するカバー部を有し、該カバー部の突出端部は、隣り合う目地プレートのカバー部の後端部付近に位置するように重なり合う目地装置。
【請求項２】
前記目地プレートは、クランク状の短い取付基端部と、この取付基端部に傾斜面又は弧状のいずれかの状態で連続するガイド部と、このガイド部に連続し、かつ、前記伸縮リンク機構と略平行状態となる平板状の長いカバー部とからなることを特徴とする請求項１に記載の目地装置。
【請求項３】
隣り合う目地プレートの間には、可撓性の防水シートが設けられていることを特徴とする請求項１又は請求項２のいずれかに記載の目地装置。
【発明の詳細な説明】
【技術分野】
【０００１】
本発明は目地部を介して設けられた躯体の間の目地部を塞ぐ目地装置に関する。
【背景技術】
【０００２】
従来、複数個の目地プレートを用いて天井間や壁面間の目地部を塞ぐ目地装置としては、「目地部側の一方の躯体に連結部材を介して回動可能に取付けられた固定側支持バーと、この固定側支持バーと対向する部位の他方の躯体に連結部材を介して回動可能に取付けられた固定側目地プレートと、この固定側目地プレートの遊端部側の後方寄りの部位に一端部が枢支され、他端部が前記固定側支持バーに枢支された、伸縮しても常時等間隔部位に複数個の枢支部を有する少なくとも２個以上の伸縮リンクと、この少なくとも２個以上の伸縮リンクの複数個の枢支部に並列するように枢支された複数個の可動支持バーと、この複数個の可動支持バーにクランク状の後端部が常時該可動支持バー方向に付勢状態で取付けられ、先端部が前記固定側目地プレートや隣り合う部材にスライド移動可能に重なり支持される複数個の目地カバー部材とからなることを特徴とする目地カバー装置。」が知られている（例えば特許文献１）。
【０００３】
しかしこのような目地装置では、目地プレート（目地カバー部材）の左右の寸法を目地プレートの左右の移動量の約２倍以上にしなければならず、狭い目地部に設置する場合には、十分な目地プレートの寸法が確保できず、目地装置を設置できないという欠点があった。
【先行技術文献】
【特許文献】
【０００４】
【特許文献１】特開２００７−３１５０５４公報
【発明の概要】
【発明が解決しようとする課題】
【０００５】
本発明は以上のような従来の欠点に鑑み、狭い目地部に設置することができ、通常時は隙間なく目地部を塞ぐことができるとともに、かつ躯体が地震によって左右の躯体が揺れ動き、目地部が狭くなった場合であっても確実に地震による揺れ動きを吸収できる目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の目地装置は、左右の躯体間の目地部を塞ぐ目地装置であって、前記左右の躯体にそれぞれ連結部材を介して設けられた伸縮リンク機構と、この伸縮リンク機構の枢支部に設けられた複数個の目地プレート取付具と、該目地プレート取付具にそれぞれ取り付けられた複数個の目地プレートとで構成され、前記目地プレートは、その取付基端部よりも外方向に形成されたガイド部を有するとともに、このガイド部に連続するカバー部を有し、該カバー部の突出端部は、隣り合う目地プレートのカバー部の後端部付近に位置するように重なり合うことを特徴とする。
【０００８】
また、本発明の目地装置の前記目地プレートは、クランク状の短い取付基端部と、この取付基端部に傾斜面又は弧状のいずれかの状態で連続するガイド部と、このガイド部に連続し、かつ、前記伸縮リンク機構と略平行状態となる平板状の長いカバー部とからなることを特徴とする。
【発明の効果】
【０００９】
以上の説明から明らかなように、本発明にあっては次に列挙する効果が得られる。
（１）請求項１に記載の発明においては、目地プレートの突出端部は、隣り合う目地プレートの中央部よりも取付基端部側に位置するように重なり合っているので、目地プレートの寸法（幅）を小さくすることができる。
したがって、狭い目地部にも設置することができ、かつ、地震による揺れ動きを吸収することができる。
（２）地震による揺れ動きが収まり、通常状態に復帰する際に、目地プレートのカバー部の突出端部が隣りの取付基端部側の側面に衝突して破損することなくスムーズに通常状態に復帰することができる。
（３）請求項２に記載の発明についても、前記（１）〜（２）と同様な効果が得られるとともに、よりスムーズに通常状態に復帰することができる。
（４）請求項３に記載の発明においても、前記（１）〜（３）と同様な効果が得られるとともに、目地部の内方に雨水等が侵入することを防止することができる。
【図面の簡単な説明】
【００１０】
図１乃至図５は本発明の第１の実施形態を示す説明図である。
図６乃至図１０は本発明の第２の実施形態を示す説明図である。
図１１及び図１２は本発明の第３の実施形態を示す説明図である。
【図１】第１の実施形態の目地装置の正面図。
【図２】図１の２−２線に沿う断面図。
【図３】目地プレートの説明図。
【図４】地震で目地部が狭くなった動作説明図。
【図５】地震で目地部が広くなった動作説明図。
【図６】第２の実施形態の目地装置の正面図。
【図７】図６の７−７線に沿う断面図。
【図８】目地プレートの説明図。
【図９】地震で目地部が狭くなった動作説明図。
【図１０】地震で目地部が広くなった動作説明図。
【図１１】第３の実施形態の目地装置の底面図。
【図１２】図１１の１２−１２線に沿う断面図。
【発明を実施するための形態】
【００１１】
以下、図面に示す本発明を実施するための形態により、本発明を詳細に説明する。
図１乃至図５に示す本発明を実施するための第１の形態において、１は目地部２を介して設けられた一方の躯体３及び他方の躯体４間に設置された目地装置である。
本実施の形態においては、この目地装置１は左右の躯体３、４の壁面間の目地部を略垂直状態で塞ぐ壁面用目地装置として用いられる。
【００１２】
なお、左右方向とは図１における左右方向であり、前後方向とは図２における上下方向をいい、上下方向とは図１における上下方向をいう。目地部の外方とは、躯体の外側壁面方向（図２における下方向）であり、目地部の内方とは、躯体の内側壁面方向（図２における上方向）をいう。
【００１３】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１４】
この目地装置１は、図１及び図２に示すように、左右の躯体３、４にそれぞれ連結部材５、本実施形態ではヒンジ部材５を介して設けられた複数個の伸縮リンク機構６と、この伸縮リンク機構６の枢支部７に設けられた複数個の目地プレート取付具８と、該目地プレート取付具８にそれぞれ取り付けられた複数個の目地プレート９と、この複数個の目地プレート９の間にそれぞれ設けられた可撓性の防水シート１０とで構成されている。
伸縮リンク機構６は、本実施形態では、例えば図１等に示すように、パンタグラフ状の伸縮リンク機構６で、両端部が連結部材５を介して左右の躯体３、４に取り付けられている。なお、一方の躯体３側の連結部材５については、スペーサー１１を備えており、伸縮リンク機構６は、このスペーサー１１を介して設けられている。
【００１５】
連結部材５のヒンジ部については、本実施形態では、スペーサー１１と伸縮リンク機構６との接続部位に設けているが、一方の躯体３とスペーサー１１の接続部位に設けてもよい。また、このスペーサー１１は、一方の躯体３（又は他方の躯体４）から一定距離、対向する躯体側へ伸縮リンク機構６の接続部位を変位させることができるものであれば、どのような形状に形成してもよい。
【００１６】
この連結部材５が設けられている部位、例えば本実施形態では、一方の躯体３の壁面と最も一方の躯体３に近い目地プレート取付具８の間及び他方の躯体４の壁面と最も他方の躯体４に近い目地プレート取付具８の間にも防水シート１０が設けられており、この部位から雨水が目地部２の内方へ侵入することを防止している。なお、この部位については、防水シート１０ではなく、シリコーンやウレタン等を充填して防水してもよい。
【００１７】
この伸縮リンク機構６は、通常複数個設けられるものであり、本実施形態では、上下方向に２個設けられている。この伸縮リンク機構６の複数の枢支部７には、それぞれ目地プレート９を取り付ける目地プレート取付具８が枢支ピン１２によって取り付けられている。
【００１８】
目地プレート取付具８は、本実施形態ではバー状の取付部材で、上下の伸縮リンク機構６の枢支部７に取り付けられることにより、常時略垂直状態となるように取り付けられている。この目地プレート取付具８は、必ずしもバー状である必要がなく、例えばアングル状の金具やレール状、板状の部材を用いてもよい。
【００１９】
目地プレート９は、本実施形態では例えば図３に示すように、その取付基端部９ａよりも外方向に形成されたガイド部１３を有するとともに、このガイド部１３に連続するカバー部９ｂを有し、該カバー部９ｂの突出端部９ｃは、隣り合う目地プレートのカバー部９ｂの後端部９ｄ付近に位置するように重なり合っている。
【００２０】
すなわち、平面視において、クランク状の短い取付基端部９ａと、この取付基端部９ａに傾斜面状で連続するガイド部１３と、このガイド部１３に連続し、かつ、前記伸縮リンク機構６と略平行状態となる平板状の長いカバー部９ｂとからなっている。
【００２１】
このガイド部１３は地震によって目地部２が広くなるように左右の躯体３、４が揺れ動き、その揺れ動きが終了し、通常状態に復帰する際に、目地プレート９のカバー部９ｂの突出端部９ｃが、隣り合う目地プレート９のカバー部９ｂの後端部９ｄに衝突しないようにガイドするよう設けられているものである。ところで、本実施形態では、全ての目地プレート９にガイド部１３を形成しているが、他方の躯体４側の目地プレート９にはこのようなガイド部１３を形成せず、その他の目地プレート９にのみガイド部１３を形成してもよい。
【００２２】
目地プレート９の突出端部９ｂは、隣り合う目地プレート９の中央部よりも取付基端部９ａ側、すなわち、後端部９ｄ付近に位置し、隣り合う目地プレート９が重なり合うように設けられている。
【００２３】
具体的には、目地プレート９が重なり合う、重なり幅Ｘが、目地プレート９の幅Ｙの１／３以下になるように配設されており、本実施形態では、目地プレート９の突出端部９ｃが隣り合う目地プレート９のガイド部１３よりも若干突出端部９ｃに位置している。
このように配設することにより、例えば１枚の目地プレート９あたり１００ｍｍの揺れ動きを吸収する場合、通常は目地プレート９の寸法を２２０〜２５０ｍｍ程度にする必要があるが、本発明では１４０ｍｍ程度にすることができ、狭い目地部２であっても設置することができる。
【００２４】
また、隣り合う目地プレート９の取付基端部９ａ間には、ゴムシート等で形成された可撓性の防水シート１０が設けられている。この防水シート１０は、目地プレート９に固定されるものでもよいし、目地プレート取付具８に固定されるものでもよい。
【００２５】
ところで、本実施形態では、目地部２の内方に、左右の躯体３、４に両端部が固定されたゴムシート等で形成された可撓性の防水カバー１４が設けられている。この防水カバー１４を設けていることにより、確実に雨水の侵入を防止することができる。
【００２６】
地震で左右の躯体３、４が左右方向に揺れ動き目地部２が狭くなると、図４に示すように、伸縮リンク機構６が縮むとともに、この伸縮リンク機構６の枢支部７に目地プレート取付具８を介して取り付けられた複数個の目地プレート９同士の間隔も狭まり、その重なり幅が大きくなって、地震による揺れ動きを吸収する。
【００２７】
地震で躯体３、４が左右方向に揺れ動き目地部２が広くなると、図５に示すように、伸縮リンク機構６が左右方向に伸びるとともに、複数個の目地プレート９が離間して揺れ動きを吸収し、地震による揺れ動きが収まると、元の状態（通常状態）に自動的に戻る。
この時、一時的に目地プレート９と目地プレート９の間に隙間が生じるものの、防水シート１０を設けているので、雨水等の侵入を防止することができる。
【００２８】
また、目地プレート９には傾斜面１３が形成されているので、地震による揺れ動きが収まり、通常状態に戻る際に、目地プレート９の突出端部９ｃが地震の揺れによって振られていても、この傾斜面１３にガイドされて隣りの目地プレート９の外方へ復帰することができる。すなわち、目地プレート９の突出端部９ｃが隣りの取付基端部９ａ側の側面９ｅに衝突して破損することなく通常状態に復帰することができる。
【００２９】
[発明を実施するための異なる形態]
次に、図６乃至図１２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３０】
図６乃至図１０に示す本発明を実施するための第２の形態において、前記本発明を実施するための第１の形態と主に異なる点は、弧状のガイド部１３Ａにした目地プレート９Ａを用いた点で、このような目地装置１Ａにしても、前記本発明を実施するための第１の形態と同様の作用効果を得ることができる。
【００３１】
図１１及び図１２に示す本発明を実施するための第３の形態において、前記本発明を実施するための第１の形態と主に異なる点は、天井間の目地部を塞ぐ天井用目地装置として本願発明の目地装置１Ｂを用いた点で、このような目地装置１Ｂにしても、前記本発明を実施するための第１の形態と同様の作用効果を得ることができる。
ところで、本実施形態では、取付基端部を平面視略コ字状とした目地プレート９Ｂを用いている。
【００３２】
なお、本発明の実施形態では、目地プレートの取付基端部付近に傾斜面又は湾曲部を形成したものについて説明したが、傾斜面又は湾曲部を形成せず、公知の目地プレートのように単に折り曲げ加工（基端部付近の折り曲げ部が略直角となる折り曲げ加工）のみを施した目地プレートとしてもよい。このように傾斜面又は湾曲部を形成しない場合には、隣の目地プレートの取付基端部付近に突出端部が位置するような幅寸法の目地プレートを設けるとよい。
【００３３】
また、防水シート、防水カバー等は必ずしも設けなくともよい。例えば雨水の侵入を考慮する必要がない内壁用の目地装置として用いる時等はこれらの部材を設ける必要はない。
【産業上の利用可能性】
【００３４】
本発明は目地装置を製造する産業で利用される。
【符号の説明】
【００３５】
１、１Ａ、１Ｂ：目地装置、          ２：目地部、
３：一方の躯体、                    ４：他方の躯体、
５：連結部材、                      ６：伸縮リンク機構、
７：枢支部、                        ８：目地プレート取付具、
９、９Ａ：目地プレート、            １０：防水シート、
１１：スペーサー、                  １２：枢支ピン、
１３、１３Ａ：ガイド部、            １４：防水カバー、
Ｘ：重なり幅、                      Ｙ：目地プレートの幅。
【図１】
2019123998.tif 000003
【図２】
2019123998.tif 000004
【図３】
2019123998.tif 000005
【図４】
2019123998.tif 000006
【図５】
2019123998.tif 000007
【図６】
2019123998.tif 000008
【図７】
2019123998.tif 000009
【図８】
2019123998.tif 000010
【図９】
2019123998.tif 000011
【図１０】
2019123998.tif 000012
【図１１】
2019123998.tif 000013
【図１２】
2019123998.tif 000014